(57)【要約】      （修正有）【課題】一日も早く大気や野山の放射線量を規制値以下にする技術を提供する。【解決手段】冷却水に交じって漏れる放射線物質や建屋の山側から流れる地下水が海側に漏れだす汚染水問題は、チタン粉末を塗布された生地に不織布や織物で、チタン粉末が漏れ出さないように塗布、または、縫い込んだ製品を海底に沈めて、海底の広さ、必要な場所によっては、これら不織布や、織物の両端を繋ぎ合わせることが出来るように製作されたもので沈めて、数週間ごとに取り換える。【選択図】図１
2015127688.tif 000002
【特許請求の範囲】
【請求項１】
放射線範囲での作業用服、外部被爆を受けない程度の放射線範囲内での作業着は、リバーシブルになっていて、内部は酸化チタン粉末が外部に漏れないように粘着、縫製されている。リバーシブルの色は自在である。
【請求項２】
現在の原子力発電所での汚染水問題にも不織布に内部に、酸化チタン粉末を添付、貼り付け、外部に漏れないようにバイヤスや縦横に縫製したもので、使用場所によっては自由自在に製造することができる。
【請求項３】
ホットスポットでない場所、すなわち風向によっては上記の作業着を使用して、野や、草むら、空き地には「コケ」を植え付ける。この「コケ」にウラニオウルを一日に９ｇほどの放射性物質を体内にため込む種があるのです。
【請求項４】
山林には米国東部のヒッコリーの木材を植えることによって、大気中の放射線物質を体内にためることが米国で立証されている。
【請求項５】
住宅の室内に使用されている壁紙や、布地はただ張り付けてあり、そこに使われている材料のＭＳＤＳ等が分からずに、人体にアレルギーやその他、においを消臭する役目も果たし、人体によい環境をつくり出すのです。
【請求項６】
現在の原子力発電所の地下水に放射線汚染水がたまり、建屋とトレンチの間に九州、トカラ列島にある温泉水近くある粘土を数十センチ埋め込むだけで放射線物質の放射線は基準値以下になる。これらもアメリカでの実験から実証されている。
【発明の詳細な説明】
【技術分野】
【０００１】  この発明は、化学ではＴｉ４＋が化合物であること。原子力発電所事故から２年以上経ているが，基本的に元素の周期表を理解していないことと、化学的に周期表の電子との関係も理解していないことにある。
【背景技術】
【０００２】この技術は物理学的の周期表の考え方と化学的な周期表の考え方の視点が違うのです。
Ｍタイプ恒星においてはＴｉＯ原子団の帯スペクトルが観測されるのです。【０００３】このような恒星はもっとも低温で発光している部類で赤色を呈して表面温度は３２００℃以下である。【０００４】  人体で測定可能な量で存在して、日々の食餌からも一日当たりして０．８ｍｇは摂取しているであろう。その大部分は吸収されることなく、そのまま排泄されてしまう。【０００５】  チタンは毒性を持たない元素であるので、白色顔料である鉛白（塩基性炭酸鉛の炭酸鉛）は二酸化チタンに置き換えられつつある。このことからして、チタンは毒性を持たない物質で、他の放射線物質をも受け付けないのである。【０００６】  ほとんど植物は、微量のチタンを含んでいる。通常１ｐｐｍであるが、特に高濃度の例はトクサ〔木財〕やイラクサは葦府）などは８０ｐｐｍものチタンが含まれている。【０００７】  生物学的にチタンは植物に対してプラスに作用するらしく、何か生物学的に重要な役割を果たしている。
【発明の概要】
【発明が解決しようとする課題】
【０００８】  しかし、この存在が植物を大きく成長するという機構についてはまだ何一つ判っていない。そこで当発明は、チタン粉末が放射性物質を受け付けないのだとの観点から。【０００９】  医学的には、金属チタンは腐食に抵抗し、骨と強固に結合し、さらに体が異物視して排出しようと拒絶する拒絶反応を起こさない。【００１０】  腰や膝の関節を置換たり、ペースメーカーや骨や補強用の金属板やネジ、さらに頭蓋骨骨折時の保護板などに使われる。【００１１】  これを器具として体内に埋め込むためには、前もって高温でプラズマ処理して、表面に吸着しているいろいろな原子類を除去しておく。【００１２】  新しい金属表面は迅速に酸化されて、この酸化物の薄い層が身体組織と結合することが出来る。【００１３】  チタンは酸化物を炭素と強熱にしても還元されない物である。この処理で酸素は省けるのだが。その結果、炭化チタンが生成し、これはもっとも反応性に乏しい。【００１４】  実際に得られるのは窒化チタンであり、金属チタンではない。【００１５】  それでも数パーセント以上の不純物を含む金属チタンが何とか得られるのである。これらはきわめて脆く、成形や細工は不可能である。
【問題を解決しようとする手段】
【００１６】  物質には、我々の日常において金属、プラススチックス、セラミックスなど著しく性質の異なった材料を適材適所に利用しているが、これらの材料も我々が利用しているエネルギーから作られている。
【００１７】  その多くを石油、石炭や天然ガスのような化石燃料資源に依存している。
【００１８】  これらのエネルギーを燃やして、一度熱に変換して、熱を直接利用するのに加えて、内燃機関のような力学エネルギーや、発電による電気エネルギーに変換して利用している。
【００１９】  エネルギーの形態には色々あるが、電気エネルギーはクリーンで利用便利なので全エネルギー消費に占める割合が高くなっている。
【００２０】  ではそのエネルギーをミクロの視点に立つ必要があるだろう。このチタン粉末を不織布や織物に粘着させることで、放射線の内部被爆や外部被爆に影響があるだろうと、不織布の生地や織物の内側に両面に付着させたのであります。
【００２１】  それらはいずれも原子から成り立っていることは間違いがないので、原子の構造を陽子、中性子などから成る原子核と核外電子群とに分けて考えると、固体物性を支配しているのは後者である。
【００２２】  したがって、上記のような個体の物質、材料の性質を理解するために、個々の原子構造、状態とそれらの性質を理解するために、個々の原子構造・状態とそれらの原子の三態が挙げられる。
【００２３】  物質に与えられた条件（温度、圧力）によって個体、液体、気体のいずれかの状態で存在する。これを物質の三態という。［００２０］での生地をリバーシブルにデザインして、α線やβ線は払落し、両面を装着できるようにして、またβ線で放射線が高く反応したら真空炉で焼却する。その時、チタンの陽素（正）と放射線電子（負）を真空炉内で磁場をつくり出し正負をゼロにして、地中に埋めるすなわち放射線は同位元素として人畜無害となる。
【００２４】  温度、圧力の変化によって物質の本質は変わらないが、その形状は変わる。このような変化を物理変化という。
【００２５】  物質の三態は物質を構成する粒子（原子、分子、イオン）の持つ運動エネルギー（振動エネルギー）と粒子間相互のエネルギーによって決まる。
【００２６】  外部エネルギーを加えると、粒子の運動エネルギーは大きくなリ、粒子間に働く力に打ち勝つために個体は液体に、液体は気体になる。
【００２７】  圧力を加えると、体積が減少して粒子間の距離は短くなり粒子間総合力は大となり、運動エネルギーは逆に打ち勝つようになる。その結果、気体は液体あるいは個体となる。
【００２８】  物質の融点、沸点は物質を構成する粒子（分子、イオン）をばらばらに断ち切るのに必要なエネルギーによるもので、このエネルギーが大きいほど融点，沸点は高い。
（高融点金属、低融点金属）化学の基本参照、表ＩＩＩ  ２．１３、票ＩＩＩ  ２．１４）
【００２９】  粒子が化学結合（共有結合、イオン結合、金属結合）している物質（共有結合性物質、イオン結合性物質、金属結合性物質は融点、沸点が高い。
【００３０】  最近問題となっている放射線漏れもチタン粉末を不織布化か織物でキルティングに縫製して大きさに合わせてつなぎとめられるようにする。
これに反して分子間の相互のエネルギーが極めて小さい分子間力によって形成される分子性物質の融点、沸点は低い。
【００３１】  同じ分子性物質でも分子構造の類似した化合物間では分子量が大きいほど、多くの陽子、電子を有し、分子自身も大きいので分子同士が接近した時の分子間力は大きく沸点、融点は高い。
【００３２】  また、極性分子は無極性分子よりなる物質より沸点、融点は高い。
【００３３】  水素結合を有する物質は他の分子量類似の分子性物質は融点、沸点が高い。
【００３４】  水素結合は電気陰性度の大きい原子（Ｆ．Ｏ．Ｎ）と水素原子間の共有結合では水素原子がかなり電気的に正電気的に正電荷を帯びている。（ただし、陽イオンではない）
【００３５】  したがって、この分子の水素原子は接近した他の分子中のＦ、Ｏ、Ｎなどの間で分子間力よりやや強い結合を生じる。
【００３６】  分子間力は、気体を冷却すると分子の運動エネルギーは小さくなり分子粒子相互間の力に打ち負けて液体になる。この分子粒子総合間に働く力を分子間力という。
【００３７】  分子間力は以下に述べるファンデルワース・エネルギーと双極子エネルギーの総和と考えてよい。
【００３８】  分子同士が接近すると互いに外側の電子は反発して歪を生じる。この歪を生じた分子同士の間で生じる力がファンデルワース・エネルギーで、どの様な分子にも認められる。
【００３９】  これに対して双極子エネルギーは極性分子のみに見られる。
【問題を解決しようとするための手段】
【００４０】  原子力発電というのは、安心・安全を前提としての神話になって来ましたが、いったん事故を起こすと、その安心・安全という神話は国民に多大の損害や生活する場所さえ奪ったのである。
【００４１】  問題は、放射性物質に対する環境、すなわち生活環境までも狂わしてしまった。
【００４２】  この責任は、国民全体として対処するべきと思う。ある一部の部署や特定の人物に責任を転嫁するべきでないと思うのであります。最新の「日本のエネルギー問題は」橘川武雄氏によれば、ＧＨＱによる強権を背景にポツダム政令によって実行されたことから、立役者はＧＨＱであったという見方が根強く存在していたとことを国民はあまり知らされていない。
【００４３】  この放射性物質は、厳密に述べると元素すなわち原子の問題でもあります。元素には周期表という。元素の持つ物理的特性や、化学的特性、金属的特性（機械的特性）やその族性をそれぞれの分野の専門家が全責任を持って対処するべきである。
【００４４】  先に述べた、原子の結合には、孤立した原子が近づくと個体を作る場合が多いが、これは原子間に作用する種々の力のためである。
【００４５】  個体結合をもたらす引力は電子の分布状態によって決まる。
【００４６】  それによってもたらされる結合、イオン結合は電気陰性度が小さい金属と大きい非金属間の間に生じる。
【００４７】  原子が化学結合する時に電子を引きつける能力であり、値がもとめられている（電子配置・元素の陰性度（参照）「化学の基礎Ｐ．４」（参照）。）
【００４８】  イオン結合を示す身近な物質の例は［ＮａＣｌ］であり、Ｎａ＋とＣｌ−というそれぞれの閉殻構造の正負イオンがそれらの間に働くクーロン引力により三次元的に交互に配合結合とするように結晶を作っている。
【００４９】  共有結合のイオン結合は周期表で両端に離れて存在する元素間に生じるが、共有結合はお互いに近い元素間で生じる。
【００５０】  共有結合では不完全な外核電子を有する原子間同士が、電子を放出することなくお互いに外核のＳ．Ｐ電子を共有することでそれぞれの閉殻構造となる。
【００５１】  Ｈ２，Ｏ２，Ｃｌ２などの二原子分子や多くの炭化水素物に見られる。完全な外核電子を有する原子では、それら電子が混成して軌道を形成することにより不完全な外核電子となり共有結合する。（電子配置、元素の陰性度  Ｐ４，図参照）
【００５２】  金属結合も同種類の原子間に働く力によってなっている。最外核電子が各金属原子から飛び出し、それらが形成する負の電子ガスが正の金属イオン全体を静電気引力により結びつけることにより結晶を作っている。
【００５３】  飛び出した電子は結晶全体を自由に動き回れる。金属の主な特徴である電気伝導性、熱伝導性、塑性加工性、金属光沢などは主にそれら自由電子によってもたらされる。
【００５４】  熱伝導とは格子振動と電子振動によって個体中を熱エネルギーが伝えることがあるが、前者は弾性振動であるため音波と同じ１０３ｍ／ｓ程度の速さで伝わる。後者はすなわち電子の速さは約１０６／ｓで前者に比べて著しく早い。したがって自由電子が豊富な金属は、熱伝導にも優れていることになる。
【００５５】  また、金属光沢も金属表面に飛び交うおびただしい数の自由電子によるもので、それらが光を高い反射率で反射するのである。
【００５６】  金属は一般に銀白色であり、これは可視光線をすべて高い効率で反射するためである。
【００５７】  ただし、金と銅は例外で、金は緑から、銅は橙黄色から短波長を吸収してその捕色を反射するため有色となる。
【問題を解決するための手段】
【００５８】  世界中にある火力や原子力発電所の凝縮器は、みなそれぞれに何万メートルに及ぶ、チタン製の配管を内蔵しているが、これが腐食のために破壊されたという報告は一軒もない。
【００５９】  二次的結合は、以上の三つの化学結合は結合エネルギー数１０Ｋｃａｌ／ｍｏｌから２００Ｋｃａｌ／ｍｏｌに達する比較的強いものであるが、それが１０Ｋｃａｌ／ｍｏｌ以下と小さく結合力の弱い二次的化学的結合といわれるものも存在する。
【００６０】  すなわちＨＦとかＨ２Ｏは非対称分子の場合には永久双極子は存在しないが、瞬間的に生じる電荷分布の隔たりにより分子間に分散力と呼ばれる相互作用が働き、対象分子やヘリウム、ネオンなどの不活性原子も低温で個体となる。これらの力は総評してＶａｎ  Ｄｅｌ  ｗａａｌ力と呼ばれる。
【００６１】  クーロンの法則には、電荷が大きいほど、クーロン力は強い。電荷間の距離が遠いほど、クーロン力は弱い。誘電率が大きい物質ほど、クーロン力は伝わりにくい。
【００６２】  クーロンの法則は、真空中に二つの点の電荷Ｑ１、Ｑ２［Ｃ］が距離ｒ［ｍ］だけ離れておかれているときの点、電荷間に働く力は
2015127688.tif 000003
＋  と  −の時、    ＋  どうし又は  −どうしの時
電荷とは、電子や陽子が持っている電気の量のことで、負の電荷と正の電荷があります。電荷は単位としてＣ（クローン）です。
【００６３】  電荷が移動しなければ静電気となります。
【００６４】
2015127688.tif 000004
誘電率は簡単説明すれば、電気を通さない誘電体（絶縁体）が電気をためておく度合いのことです。
【００６５】  二つの電荷があれば、この二つは相互にクーロン力を及ぼしあう。クーロンの力の伝わり方には、規則がある。クーロンの大きさは電荷の積に比例し、距離の二乗に反比例する。
2015127688.tif 000005
【００６６】  「真空中での」と断っている通り、電荷をとり囲む物質の種類ごとにＫの値は異なる。
（元素の融解点の周期性・非鉄金属材料の結晶における原子半径参照のこと）
【００６７】  クーロンの法則の特徴を万有引力の法則と比較すると、万有引力は質量と質量の間に作用する。
【００６８】  すべての物質が質量をもっているのであらゆる物体は相互に引き合うのです。
【００６９】  そして万有引力には引力しかない。斥力がないのです。
【００７０】  一方、静電気の力は電荷の間に作用する。つまり、帯電した物体間でしか作用しなく、その力は異種の電気間では引力として、同種間では斥力として作用する。
【００７１】  酸化チタンを不織布や織物で、外部に漏れないように塗布するかして、そこにバイヤスで縫製、キルティング加工をしたものに裏・表を縫込み、リバーシブルに着こなせる作業着とする。
【００７２】  放射性物質のα線、β線時は外部被ばくを除去するためには払落し、リバーシブルとして着用して、γ線の場合は、真空炉内で作業着を蒸気温度に合わせながらチタンの陽子である正極（＋）に対して放射線のマイナスイオンを真空炉内で、地場をつくり、互いにゼロになった時点で、焼却すると、放射性物質は、同位元素のように人体に無害となる。
【００７３】  それでも不安がる国民に対して、検量した数値を理解して貰い、安全を確認後に地中に埋蔵することが、本当の意味での物理学上や、化学工学上，真空工学上での知恵ではないでしょうか。
【００７４】  そのためには、真空炉である真空工学的知見が必要であろう。また、紛体工学的知見も必要である。（特に金属粉末成形法と真空工学的知見が必要だろう）
【００７５】  これらは、紛体工学（ＭＩＭ）すなわち金属粉末射出成型法という技術、これらの紛体から真空炉内で個体にする工学を再度見直すことが必要と思われる。
【００７６】  周期表にある、１８族の各元素の性質のサイトと周期的な関係が最も必要不可欠な意味するところである。
本発明は、化学ではチタンが（Ｔｉ４＋）の化合物であること。
【発明の効果】
【００７７】  原子力発電所事故以来、［０００１］でのべた科学的な検知からチタン原子は中性子と陽子から成りその陽子は正極から成り、外核電子は負極から成り互いに釣り合っているのである。
【００７８】  近年、物理学的研究によって人工的に９３番のＮｅｐｔｉｎｉｕｍから１０２番のＮｏｂｅｌｉｕｍまでは１０種のウラン元素が証明されている。
【００７９】  今世紀に入ってから（２０世紀）原子物理学が発達し、原子は電子、陽子、中性子からなる３素粒子から成り立ち、すべての原子は陽子と中性子を含む原子核と、核をとりまく電子群とでできていることが分かった。
【００８０】  Ｂｏｈｒは水素原子のスペクトル解析から入って諸元素における外部電子群の配置をあきらかにした。
【００８１】  明らかにされたのは電子の外部の構造であって、原子核の構造であって、いわゆる核物理学として２０世紀後半における最大の課題となっている。
【００８２】  化学的には従来不可分とされた元素に共通する素粒子から成るとすると、一つの元素を他の元素に転換できるという古代錬金学者の信条は近代科学の力によって実現されるように思われる。
【００８３】  元素転換になった物は放射能によるＲａのように自然崩壊であって、被災者を元の住居環境に戻すことが、早急な課題である。
【００８４】  知られる通りＲａはα、β、γの３線を放出する。α粒子はヘリウムイオン（Ｈｅ＋＋）β粒子は電子、γ線は波長の非常に短い電磁波である。
【００８５】  これらの放射線は原子核から放射されて、原子の質量は主として原子核に保有されることが分かる。
【００８６】  原子の崩壊はしかしながらＲａだけに限った訳ではない。
【００８７】  １９１０年に、米国のＧ・Ｅ社のＭ．Ａハンターが高圧にした密封容器の中で四塩化チタンを金属ナトリウムの混合物を加熱して還元する方法で、初めて純粋な金属チタンをウルことに成功したのです。この方法のチタンは９９．８％のチタンである。
【００８８】  したがって、このチタン原子の陽子は＋（プラスであり）、他の元素の外核電子は−（マイナスである）ために、大気に存在する物質は平衡状態であり、害にならない。
【００８９】  Ｕ１とＵ２とは原子量が４つ違うだけで、核荷電は同一、したがって核外電子の配置も同一で、化学的性質も同じ、両方とも９２番のウランである。したがって周期表上では同一原子番号に所属するので、これを同位元素という。
【００９０】  大気に降り注ぐ放射線物質は、風向きによって、ホットスポットとなることがあり、そのホットスポッでない部所には、山や草原には、古代地球ができたときからあるに「コケ」を植たり、また「コケ」が一日に９ｇほどのウランニオールを体内に閉じ込めることがあるのです。
【００９１】  アメリカの東部のヒッコリーの木材も放射性物質を体内にため込むデータもありますが、なぜ日本の学者や政府官僚は日本国内だけの問題ではなく、全人類の知恵を結集すべきと思いますが、いかがだろうか、７年後の東京オリンピックに少しでも努力することは日本人の責任です。また、福島での原子力発電所事故での被災者にも早く帰れる体制づくりが必要となることを特に願わずにはいられない者です。
【００９２】  上記の問題は、エネルギーの問題発生したものであり、石炭、石油、原子力などを燃焼させて次なるエンルギーに置き換えて、つくられたエネルギーであった。
【００９３】  このエネリギー問題で、太陽光、風力、水力、温泉熱といろいろ対費用対効果で考えるならば、例えば、２０１２年度に試算されたＬＮＧ輸入か買うＣＩＦ価格は１６．７ドル／ＢＴＵであり、なお直近のＬＮＧスポット価格は１５ドルに推移しているが、欧州のＮＢＰ等の天然ガス価格は９ドル台、さらに米国では主要取引での価格は２ドル台半ばと、大きな格差が生じている。
【００９４】  上記のことから日本の将来のエネルギー問題は大きな転換期を迎えようとしている。その時に我々日本では、日本の自然に囲まれた環境から、天然の水から溶媒となる「水」からイオン発生する陽極やその反対の陰極を活性する化学的、物理的物質で「００９１」の述べた２ドル台以下のエネルギーを考えておかねばならない。
【００９５】  そのために、「００９２」での対応はすでに試作済みである。そのためにも、日本の四面の国土を守る体制と、その環境を守る責任と義務がある。
【００９６】  そこで、我々の自然な環境の中での「水」を触媒とした物質から電力をつくり出して、同じ「水」を触媒として、陽極側に希土類の材料をマイナス側にして二つの電荷があれば相互にクーロン力が働き、クーロンの伝わり方には規則があり、クーロンの大きさには電荷の積に比例し、距離に反比例するのである。
【００９７】  この時に、ＨＨＯに水素ガスと酸素ガスが発生して「水素」を捕集して、水素を燃料としてタービンを回して、発電装置にするか、また、「水素」をガソリンの変わりに自動車の気化器に接続して「水素」自動車としての使用方法等は多岐に及ぶのです。
【図面の簡単な説明】
【００９８】
【図１】放射性のセシウムや他放射性物質を屋根や冷却水等の漏れ等のフィルターとして使用する。
【図２】放射性物質の検査時に使用する作業服。
【発明を実施するための形熊】
【００９９】  以下、本発明を実施するためについて説明する。
薄手の両面テープに酸化チタン粉末を数百グラム添付した。それを両面に不織布や織物でバイヤスに縫製して、上下、両サイドは同じ製品を使用する場所で大きくするか、小型にするかを自由にできる。汚染土壌や地下水にながれこんだ汚染水や海底の放射性物質等を吸着させる。
【０１００】  建屋と繋がっているトレンチに、粘土（九州、トカラ列島の温泉の湧き出るところの）を地下トンネルと建屋の接続部分の凍結部分の周りに数十センチほどを埋め込んで、そこから出る汚染水は規制範囲内にこの粘土に吸着されて放射線濃度は下がる。
【０１０１】  一方、リバーシブル作業着の中の、酸化チタンを両面に添付した生地から酸化チタンが漏れないようにバイヤスあるいは格子に縫製して、α線、γ線は払落し、リバーシブルに再度着こなすことにする。
【０１０２】  β線での高濃度の電磁波での放射線はは、外部被爆の恐れがあり、規制値オーバーになった数値のあるのは、真空焼結炉で磁場をつくりながら完全に焼却して、規制値以下になった時点で、ガラス容器と海中の温泉からわき出る粘土と一緒に固形化して地中に埋める。
【図１】
2015127688.tif 000006
【図２】
2015127688.tif 000007